(57)【要約】【課題】プリーツフィルターが変形することがない電気掃除機を提供することを課題とする。【解決手段】  掃除機本体１内に電動送風機３を備え、該電動送風機３の駆動により入口１１から前記本体１に吸い込まれた空気に含まれる塵埃を集塵することができる電気掃除機であって、前記本体１内に形成され、塵埃を集塵するための集塵容器１０または集塵袋５が択一的に装着可能であり、塵埃が集塵された後の空気を排出するための排出口１３が形成された集塵室４と、前記集塵容器１０の排気口１２に配置され、塵埃を除去するプリーツフィルター１５とを備え、前記集塵室４に前記集塵容器１０が装着されているときに、前記プリーツフィルター１５を押さえるための枠体２４を前記排出口１３に設けた。【選択図】  図７
2007054266.tif 000002
【特許請求の範囲】
【請求項１】
本体内に電動送風機を備え、該電動送風機の駆動により吸込口から前記本体に吸い込まれた空気に含まれる塵埃を集塵することができる電気掃除機であって、
前記本体内に形成され、塵埃を集塵するための集塵容器または集塵袋が択一的に装着可能であり、塵埃が集塵された後の空気を排出するための排出口が形成された集塵室と、前記集塵容器の排気口に配置され、塵埃を除去するプリーツフィルターとを備え、
前記集塵室に前記集塵容器が装着されているときに、前記プリーツフィルターを押さえるための枠体を前記排出口に設けたことを特徴とする電気掃除機。
【請求項２】
前記枠体に、前記プリーツフィルター側に延びるリブを形成したことを特徴とする請求項1記載の電気掃除機。
【請求項３】
前記プリーツフィルターを保持する保持枠を設け、該保持枠内に前記プリーツフィルターを支持する支持部を設け、前記枠体のリブが前記支持部に当接することを特徴とする請求項２記載の電気掃除機。
【請求項４】
前記リブを複数形成し、前記集塵室に前記集塵袋が装着されているときに、前記集塵袋から排出される空気が、前記枠体の隣合うリブとリブとの空間を通過することを特徴とする請求項２記載の電気掃除機。
【発明の詳細な説明】
【技術分野】
【０００１】
本発明は、吸込口から本体に吸い込まれる空気に含まれる塵埃を集塵することができる電気掃除機に関する。
【背景技術】
【０００２】
一般的な電気掃除機は、電動送風機を備えた本体内に、使い捨ての集塵袋を装着することができるようになっている。しかし、この種の電気掃除機では、使い捨ての集塵袋を用いるため不経済であるとともに、内部に塵埃が溜まるにつれて吸込力が低下し、集塵効率が悪くなるといった問題がある。
【０００３】
そこで、最近では、吸込口から吸い込まれた空気を旋回させるなどして、その空気に含まれる塵埃を集塵するタイプの電気掃除機、所謂、サイクロン方式の電気掃除機が知られている。このサイクロン式掃除機は、従来の塵埃を溜めるための集塵袋が不必要であり、塵埃を溜めて捨てたいときに捨てることのできる簡便さから広く普及している。
ところで、出願人は、ユーザの好みに応じて、集塵容器または集塵袋のいずれかを集塵室内に装着して使用できる構成を提案している。このような構成によれば、ユーザは集塵容器もしくは集塵袋のどちららかを選択することができるので、利便性を向上することができる。
【０００４】
上記構成の電気掃除機は、集塵容器の排気口にウレタンフィルターが用いられているが、このウレタンフィルターには、集塵容器内で集塵できなかった塵埃が付着するため目詰まりが起こり易いことから、ウレタンフィルターを集塵容器から取り外し、清掃等のメンテナンスを頻繁に行わなければならず、非常にわずらわしものであった。フィルターを集塵容器から取り外しをしないでメンテナンスをする方法として、集塵容器の排気口にプリーツフィルターを配置し、このプリーツフィルターの折り目の先端を振動させることによって付着した塵埃を振り落とす構成が考えられる。
【０００５】
しかしながら、プリーツフィルターを用いた集塵容器を集塵室に装着した場合、塵埃がプリーツフィルターに付着してくると徐々に空気流路が狭くなり、電動送風機の吸引力によってプリーツフィルターが引き込まれてしまい、プリーツフィルターが変形してしまうという問題が発生する。
【特許文献１】特願２００４−２１７７９８号（Ａ４７Ｌ  ９／００）
【発明の開示】
【発明が解決しようとする課題】
【０００６】
本発明は上記欠点に鑑みなされたもので、プリーツフィルターが変形することがない電気掃除機を提供することを課題とする。
【課題を解決するための手段】
【０００７】
上記課題を解決するための手段は、本体内に電動送風機を備え、該電動送風機の駆動により吸込口から前記本体に吸い込まれた空気に含まれる塵埃を集塵することができる電気掃除機であって、前記本体内に形成され、塵埃を集塵するための集塵容器または集塵袋が択一的に装着可能であり、塵埃が集塵された後の空気を排出するための排出口が形成された集塵室と、前記集塵容器の排気口に配置され、塵埃を除去するプリーツフィルターとを備え、前記集塵室に前記集塵容器が装着されているときに、前記プリーツフィルターを押さえるための枠体を前記排出口に設けたことを特徴とする。
【０００８】
また、前記枠体に、前記プリーツフィルター側に延びるリブを形成してもよい。
【０００９】
また、前記プリーツフィルターを保持する保持枠を設け、該保持枠内に前記プリーツフィルターを支持する支持部を設け、前記枠体のリブが前記支持部に当接してもよい。
【００１０】
また、前記リブを複数形成し、前記集塵室に前記集塵袋が装着されているときに、前記集塵袋から排出される空気が、前記枠体の隣合うリブとリブとの空間を通過してもよい。
また、前記リブを縦方向に形成し、前記リブの高さを上方に比べて下方を低くてもよい。
【発明の効果】
【００１１】
本発明の請求項１によれば、前記集塵室に前記集塵容器が装着されているときに、前記プリーツフィルターを押さえるための枠体を前記排出口に設けているので、塵埃の付着によって空気流路が狭くなり、前記プリーツフィルターが電動送風機の吸引力によって引き込まれようとしても、前記枠体が前記プリーツフィルターを押さえているので、前記プリーツフィルターの変形を防止することができる等の効果を奏する。
【００１２】
本発明の請求項２によれば、前記枠体に、前記プリーツフィルター側に延びるリブを形成したので、前記リブによって前記プリーツフィルターの変形を確実に防止することができる等の効果を奏する。
【００１３】
本発明の請求項３によれば、前記支持部を介して前記プリーツフィルターの変形を確実に防止することができる等の効果を奏する。
本発明の請求項４によれば、前記集塵室に前記集塵袋を装着したときに、前記集塵袋内に塵埃が堆積して前記集塵袋が膨らんでも、複数の前記リブにより前記集塵袋の後方では前記集塵袋と前記排出口との間に隙間が形成されるので、前記集塵袋から排出される空気を、前記枠体の隣合うリブとリブとの空間を利用して前記排出口から排気できるので、吸込性能の低下を防止することができる等の効果を奏する。
【発明を実施するための最良の形態】
【００１４】
本発明の実施形態を図１乃至図８に基づいて以下に説明する。
【００１５】
図１は、本願発明の実施形態が適用される電気掃除機本体を前方斜めからみたときの斜視図である。図２は、同電気掃除機本体のダストカバーを取り外したときの斜視図である。図３は、同電気掃除機本体を側面からみた側面断面図である。図４は、同電気掃除機本体のダストカバーを開いた状態での集塵室付近の断面図である。図５は、同電気掃除機本体の集塵容器を後方斜めからみたときの斜視図である。図６は、図５におけるＡ−Ａ’断面図である。図７は、図４におけるフィルター保持枠の支持部が枠体の縦リブに当接した状態を示した集塵室付近の断面図である。図８は、同電気掃除機本体の集塵室に集塵袋が装着されたときの上面断面図である。
【００１６】
１は、電気掃除機の掃除機本体で、該掃除機本体内１の後側には、電動送風機収納室２が形成され、前記掃除機本体１内に空気を吸引する電動送風機３が配置されている。前記掃除機本体１の前側には、前記電動送風機３の駆動により前記掃除機本体１内に吸引された塵埃を集塵するための集塵室４が形成され、該集塵室４には、後述する集塵容器１０または集塵袋５が択一的に装着できるようになっている。
【００１７】
６は、図示しない接続ホースが接続される接続口で、吸い込まれた空気は、接続ホースを通って前記掃除機本体１内に流入する。
【００１８】
７は、前記集塵室４の上面開口部分を覆うダストカバーで、前記集塵室４の上面開口の周縁部には、環状のパッキン８が取り付けられており、前記ダストカバー７が閉じられると、前記ダストカバー７が前記パッキン８に押圧されることにより、前記ダストカバー７と前記集塵室４の上面開口との隙間が密閉されるようになっている。
【００１９】
９は、前記掃除機本体１の前方及び後方の両側に設けられた車輪で、該車輪９を被掃除面上で回転させることにより、簡単に前記掃除機本体１を移動できるようになっている。
【００２０】
１０は、前記集塵室４に着脱自在に装着されるサイクロン方式の集塵容器で、該集塵容器１０は、前記接続口６から流入された空気を入口１１から流入させ、この流入した空気を旋回させることにより、空気と塵埃とに分離し且つ分離された塵埃を集塵可能な構成となっている。分離された空気は、後方の排気口１２を通過した後、前記集塵室４の後壁に形成された排出口１３を通って、前記電動送風機３の吸引口に流入する。
【００２１】
１４は、前記集塵容器１０の前記排気口１２を開閉するフィルター保持枠で、該フィルター保持枠１４には、図示しないメッシュフィルターと、その後方（下流）には、縦状の折り目を複数有するプリーツフィルター１５とが配設されており、前記集塵容器１０内で分離できなかった塵埃を除去するようになっている。
【００２２】
１６は、前記フィルター保持枠１４の内側に形成され、前記プリーツフィルター１５の変形を防止する支持部で、該支持部１６は、前記プリーツフィルター１５に対して直交（横方向）するように形成されるとともに、図６に示すように、突出部７が略２等辺三角形状に形成され、前記プリーツフィルター１５の各谷間の部分に挿入されている。この構成により、前記プリーツフィルター１５の変形を防止できるとともに、前記プリーツフィルター１５の折り目と折り目とのピッチを等間隔に保持することができる。
【００２３】
１８は、前記フィルター保持枠１４の内側に間隔をおいて形成され（本実施例では２本）、前記フィルター保持枠１４を補強する補強リブで、該補強リブ１８は、前記プリーツフィルター１５に対して平行（縦方向）で且つその形状が略２等辺三角形状に形成されるとともに、その先端部分が、前記プリーツフィルター１５の谷間の部分に挿入されている。
【００２４】
１９は、前記フィルタ保持枠１４の下方に設けられ、前記プリーツフィルター１５に付着した塵埃を振動によって振り落とす除塵機構で、該除塵機構１９は、前記プリーツフィルター１５に対して横方向にスライドするスライド部２０と、該スライド部２０が取り付けらる取付部２１とから構成される。この除塵機構１９について説明すると、前記集塵容器１０を前記集塵室４から取り外し、前記スライド部２０に形成された摘み部２２を指先で摘み、前記取付部２１に沿ってスライドさせると、前記スライド部２０に形成された突起部が前記プリーツフィルター１５の折り目の先端部分に当接し、前記プリーツフィルター１５が振動する。この振動によって、前記プリーツフィルター１５に付着した塵埃が振り落とされ、前記プリーツフィルター１５の目詰まりによる吸引力の低下を防止することができる。また、前記取付部２１には、複数の開口部２３が形成されており、この開口部２３によって吸引流路を確保することができ、吸引力が低下しない構成となっている。
【００２５】
２４は、前記排出口１３に配置された略四角形状の枠体で、爪２５を前記排出口２４に係合させて着脱自在に装着できるようになっている。前記爪２５が前記排出口＊にうまく係合できていない状態のときは、前記集塵容器１０を前記集塵室４に装着する際、前記フィルター保持枠１４の上部中央に形成されたガイドリブ１６で前記枠体２４を押し込み、前記爪２５を前記排出口１３に係合できるようになっている。前記枠体２４には、前記集塵室４側に延びる４本の縦リブ２７と、該縦リブ２７に直交する１本の横リブ２８と、該横リブ２８に直交する１本の補助リブ２９とが形成され、後方にはフィルタ３０が装着されている。前記縦リブ２７は、図４に示すように、上部から下部に向かってその高さが低くなっており、最も高い第１リブ２７ａと、次に高い第２リブ２７ｂと、最も低い第３リブ２７ｃと、前記第２リブ２７ｂと前記第３リブ２７ｃとの間に形成された傾斜部２７ｄとからなる。
【００２６】
前記集塵容器１０が前記集塵室４に装着されているときには、前記第１リブ２７ａが前記プリーツフィルター１５の折り目の先端部分（山部）に近接しており、また、前記第２リブ２７ｂも前記支持部１０に近接する関係となっている。この構成により、前記プリーツフィルター１５が目詰まりを起こし、前記電動送風機３の吸引力によって前記プリーツフィルター１５が前記排出口１３側に引き込まれようとすると、図７に示すように前記第２リブ２７ｂが前記支持部１６に当接した状態となり、前記プリーツフィルター１５の引き込まれを押えることができ、前記電動送風機３の吸引力による前記プリーツフィルター１５の変形を防止することができる。
【００２７】
３１は、前記集塵袋５を前記集塵室４内に収納するためのホルダーで、前記集塵室４の前壁上方に回動可能に設けられ、図示しないバネの付勢力によって常時時計方向（集塵室４の底面方向）に付勢されている。前記集塵室４内に前記集塵容器１０または前記集塵袋５が収納されていないときは、前記ホルダー３１の上端部が、前記ダストカバー７の裏側に形成されたリブ３２に当接し、前記ダストカバー７を閉じることができないようになっている。
【００２８】
前記集塵袋５を前記集塵室４内に収納するときは、前記ホルダー３１を反時計方向（集塵室４の上面開口方向）に回動させ、前記集塵袋５に設けられた台紙３３の下部を前記集塵室４の底面に形成された溝に挿入し、前記台紙３３の上部を前記ホルダー３１によって挟持する。前記集塵容器１０を収納するときは、前記集塵容器１０を前記集塵室４の上方から徐々に挿入し、前記集塵容器１０の上面に設けられたハンドル３４が、前記ホルダー３１を反時計方向（集塵室４の上面開口方向）に押し上げている。従って、前記集塵室４内に前記集塵容器１０または前記集塵袋５が収納されているときは、前記ホルダー３１の上端部が、前記ダストカバー７のリブ３２に当接しない位置にあるため、前記ダストカバー７を閉じることができるようになっている。
【００２９】
以上のように構成された電気掃除機は、前記集塵室４内に前記集塵容器１０が装着されているときは、前記電動送風機３の駆動により図示しない床用吸込具から接続ホースを通って前記集塵容器１０の入口１１に空気が流入し、前記集塵容器１０内で塵埃と空気とに分離される。分離されなかった塵埃は、前記排気口１２を通過する際にメッシュフィルター、前記プリーツフィルター１５、更に前記枠体２４の前記フィルター３０にて除去され、きれいになった空気は、前記排出口１３を通った後、前記電動送風機３を冷却して前記掃除機本体１外へ排気される。
【００３０】
前記プリーツフィルター１５に塵埃が付着し目詰まりしてきたら、前記スライド部２０を、前記取付部２１に沿ってスライドさせ、前記スライド部２０の突起部で前記プリーツフィルター１５を振動させる。この振動によって、前記プリーツフィルター１５に付着した塵埃が振り落とされるので、前記プリーツフィルター１５の目詰まりが解消され、吸引力の低下を防止することができる。
【００３１】
前記プリーツフィルター１５の目詰まりを放置していた場合、前記電動送風機３の吸引力によって前記プリーツフィルター１５が前記排出口１３側に引き込まれようとするが、その状態においては、前記第２リブ２７ｂが前記支持部１７に当接しているので、前記プリーツフィルター１５の引き込まれを押えることができ、前記電動送風機３の吸引力による前記プリーツフィルター１５の変形を防止することができる。
前記集塵容器１０内に溜まった塵埃を排出する場合は、操作レバー３５を操作すると、前記フィルター保持枠１４が回動し、前記排気口１２より塵埃を簡単に排出することができる。
【００３２】
前記集塵室４内に前記集塵袋５が装着されているときは、前記電動送風機３の駆動により図示しない床用吸込具から接続ホースを通って前記集塵袋５の入口に空気が流入し、前記集塵袋５を通過する際に塵埃が捕獲され、塵埃が捕獲された後の空気が、前記枠体２４の前記フィルター３０、前記排出口１３を通って、前記電動送風機３を冷却して前記掃除機本体１外へ排気される。このとき、前記集塵袋５内に塵埃が堆積して前記集塵袋５が膨らんでも、図８に示すように複数の前記縦リブ２７により前記集塵袋５の後方では前記集塵袋５と前記排出口１３との間に隙間が形成されるので、前記集塵袋５から排出される空気を、前記枠体２４の隣合う縦リブ２４と縦リブ２４との空間３６を利用して前記排出口１３から排気することできるので、吸込性能の低下を防止することができる。
【００３３】
尚、本実施形態では、プリーツフィルター１５の変形を防止するために、枠体２４の第２リブ２７ｂを支持部１６に当接させているが、第２リブ２７ｂを直接プリーツフィルター１５に当接させても同様の効果を得ることができる。
【図面の簡単な説明】
【００３４】
【図１】図１は、本願発明の実施形態が適用される電気掃除機本体を前方斜めからみたときの斜視図である。
【図２】図２は、同電気掃除機本体のダストカバーを取り外したときの斜視図である。
【図３】図３は、同電気掃除機本体を側面からみた側面断面図である。
【図４】図４は、同電気掃除機本体のダストカバーを開いた状態での集塵室付近の断面図である。
【図５】図５は、同電気掃除機本体の集塵容器を後方斜めからみたときの斜視図である。
【図６】図６は、図５におけるＡ−Ａ’断面図である。
【図７】図７は、図４におけるフィルター保持枠の支持部が枠体の縦リブに当接した状態を示した集塵室付近の断面図である。
【図８】図８は、同電気掃除機本体の集塵室に集塵袋が装着されたときの上面断面図である。
【符号の説明】
【００３５】
１        掃除機本体
３        電動送風機
１１        入口
１０        集塵容器
５        集塵袋
１３        排出口
４        集塵室
１２        排気口
１５        プリーツフィルター
２４        枠体
２７        縦リブ
１４        フィルター保持枠
１６        支持部
３６        空間
【図１】
2007054266.tif 000003
【図２】
2007054266.tif 000004
【図３】
2007054266.tif 000005
【図４】
2007054266.tif 000006
【図５】
2007054266.tif 000007
【図６】
2007054266.tif 000008
【図７】
2007054266.tif 000009
【図８】
2007054266.tif 000010